(57)【要約】【課題】簡易に設置でき、且つ、シャワーの湯量への影響を小さくしてシャワーとミストとを同時に使用することの可能なオーバーヘッドシャワーユニットを提供する。【解決手段】シャワーバー２０には、オーバーヘッドシャワー部２２及びミスト吐出部２４が設置されている。オーバーヘッドシャワー部２２は、メイン加熱装置４０と接続され、メイン加熱装置４０で加熱された湯がオーバーヘッド流路２３を経てオーバーヘッドシャワー部２２へ供給されている。ミスト吐出部２４は、給水路Ｐから供給された水を加熱する補助加熱具４２と接続され、補助加熱具４２で加熱された湯がミスト流路２８を経てミスト吐出部２４へ供給されている。【選択図】図３
2015216967.tif 000002
【特許請求の範囲】
【請求項１】
筒状とされ、筒軸が鉛直方向に配置されるシャワーバーと、
前記シャワーバーの上部に設置され、下向きにシャワー吐水するオーバーヘッドシャワー部と、
メイン加熱装置と接続され、前記シャワーバー内に配管されて前記メイン加熱装置で加熱された湯を前記オーバーヘッドシャワー部へ供給するオーバーヘッド流路と、
前記シャワーバーの前記オーバーヘッドシャワー部よりも下側に設置され、ミストを噴出するミスト吐出部と、
給水路から供給された水を加熱する補助加熱具と、
前記補助加熱具で加熱された湯を前記シャワーバー内を経て前記ミスト吐出部へ供給するミスト流路と、
を備えたオーバーヘッドシャワーユニット。
【請求項２】
一端が前記シャワーバーの中間部と連結されると共に他端が壁に固定される中空の壁面取付部を有し、
前記シャワーバーと前記補助加熱具は、前記壁を挟んだ両側に配置され、
前記ミスト流路は、前記壁を貫通すると共に前記壁面取付部内を経て前記シャワーバー内へ導入されている、ことを特徴とする請求項１に記載のオーバーヘッドシャワーユニット。
【請求項３】
前記補助加熱具は、前記シャワーバーが取り付けられた壁の前記シャワーバー側で前記シャワーバーの下側に配置されていること、を特徴とする請求項１に記載のオーバーヘッドシャワーユニット。
【請求項４】
シャワーブースと、
前記シャワーブース内に設置された請求項１〜請求項３のいずれか１項に記載のオーバーヘッドシャワーユニットと、
を備えたシャワーブースユニット。
【請求項５】
浴槽を有するユニットバスと、
前記ユニットバスに設置された請求項１〜請求項３のいずれか１項に記載のオーバーヘッドシャワーユニットと、
を備えたユニットバスシステム。
【発明の詳細な説明】
【技術分野】
【０００１】
本発明は、オーバーヘッドシャワーユニット、このオーバーヘッドシャワーユニットを備えたユニットバスシステム、及びシャワーブースシステムに関する。
【背景技術】
【０００２】
近年、浴室内でミスト浴を可能にするミスト発生装置が提案されている。例えば、特許文献１に記載のミスト発生装置では、壁面にミストユニットを設置し、このミストユニットに設けられたミスト噴射ノズルから湯水を霧状に噴射させている。
【０００３】
しかしながら、特許文献１では、ミスト発生装置が単体で壁面に設置されるため、広範囲の設置場所が必要となる。また、特許文献１ではシャワーとミスト噴射ノズルへの給湯路が共通のため、シャワーとミスト発生装置とを同時に使用する場合、シャワーへ供給される湯量が減少してしまう。
【先行技術文献】
【特許文献】
【０００４】
【特許文献１】特許４９５１９９６号公報
【発明の概要】
【発明が解決しようとする課題】
【０００５】
本発明は、上記事実を考慮して成されたものであり、簡易に設置でき、且つ、シャワーの湯量への影響を小さくしてシャワーとミストとを同時に使用することが可能なオーバーヘッドシャワーユニット、ユニットバスシステム、シャワーブースシステムを提供することを目的とする。
【課題を解決するための手段】
【０００６】
上記目的を達成するために、請求項１に記載のオーバーヘッドシャワーユニットは、筒状とされ、筒軸が鉛直方向に配置されるシャワーバーと、前記シャワーバーの上部に設置され、下向きにシャワー吐水するオーバーヘッドシャワー部と、メイン加熱装置と接続され、前記シャワーバー内に配管されて前記メイン加熱装置で加熱された湯を前記オーバーヘッドシャワー部へ供給するオーバーヘッド流路と、前記シャワーバーの前記オーバーヘッドシャワー部よりも下側に設置され、ミストを噴出するミスト吐出部と、給水路から供給された水を加熱する補助加熱具と、前記補助加熱具で加熱された湯を前記シャワーバー内を経て前記ミスト吐出部へ供給するミスト流路と、を備えている。
【０００７】
請求項１に係るオーバーヘッドシャワーユニットは、筒状のシャワーバーを有し、シャワーバーの上部にオーバーヘッドシャワー部が設置されている。そして、ミストを噴出するミスト吐出部は、シャワーバーのオーバーヘッドシャワー部よりも下側に設置されている。このように、ミスト吐出部をシャワーバーに設置することにより、ミスト用に単体の装置を設置する場合と比較して、簡易に設置することができる。
【０００８】
また、請求項１に係るオーバーヘッドシャワーユニットでは、オーバーヘッドシャワー部へは、メイン加熱装置で加熱された湯がオーバーヘッド流路を経て供給される。一方、ミスト吐出部へは、給水路から供給された水が補助加熱具で加熱され、当該加熱された湯がミスト流路を経て供給される。このように、オーバーヘッドシャワー部への湯の供給と、ミスト吐出部への湯の供給を別々の加熱装置からの湯で行うことにより、シャワーの湯量への影響を小さくすることができ、オーバーヘッドシャワー部からのシャワーとミスト吐出部からのミストを同時に快適に使用することができる。
【０００９】
請求項２に記載のオーバーヘッドシャワーユニットは、一端が前記シャワーバーの中間部と連結されると共に他端が前記壁に固定される中空の壁面取付部を有し、前記シャワーバーと前記補助加熱具は、前記壁面を挟んだ両側に配置され、前記ミスト流路は、前記壁面を貫通すると共に前記壁面取付部内を経て前記シャワーバー内へ導入されている、ことを特徴とする。
【００１０】
請求項２に係るオーバーヘッドシャワーユニットによれば、壁面取付部の内部を用いて、ミスト流路をシャワーバーへ導入するので、配管の露出が抑制され、見栄えをよくすることができる。
【００１１】
請求項３に記載のオーバーヘッドシャワーユニットは、前記補助加熱具が、前記シャワーバーが取り付けられた壁の前記シャワーバー側で前記シャワーバーの下側に配置されていること、を特徴とする。
【００１２】
請求項３に係るオーバーヘッドシャワーユニットによれば、壁を挟んで補助加熱具をシャワーバーと同じ側に配置するので、補助加熱具からミスト吐出部までの配管長を短くすることができる。
【００１３】
請求項４に記載のシャワーブースユニットは、シャワーブースと、前記シャワーブース内に設置された請求項１〜請求項３のいずれか１項に記載のオーバーヘッドシャワーユニットと、を備えている。
【００１４】
請求項４に係るシャワーブースユニットによれば、シャワーブース内にオーバーヘッドシャワーユニットを簡易に設置でき、且つ、シャワーブース内でシャワーの湯量への影響を小さくしつつミストとシャワーを同時に使用することができる。
【００１５】
請求項５に記載のユニットバスシステムは、浴槽を有するユニットバスと、前記ユニットバスに設置された請求項１〜請求項３のいずれか１項に記載のオーバーヘッドシャワーユニットと、を備えている。
【００１６】
請求項５に記載のユニットバスシステムによれば、ユニットバスにオーバーヘッドシャワーユニットを簡易に設置でき、且つ、ユニットバス内で、シャワーの湯量への影響を小さくしつつミストとシャワーを同時に使用することができる。
【発明の効果】
【００１７】
以上詳述したように、本発明によれば、簡易に設置でき、且つ、シャワーの湯量への影響を小さくしてシャワーとミストとを同時に使用することができる。
【図面の簡単な説明】
【００１８】
【図１】第１実施形態のユニットバスシステムの全体構成を示す斜視図である。
【図２】第１実施形態のオーバーヘッドシャワーユニットを示す斜視図である。
【図３】第１実施形態のオーバーヘッドシャワーユニットの配管等の縦断面である。
【図４】第１実施形態のオーバーヘッドシャワーユニットをシャワーブースへ設置したシャワーブースユニットの全体構成を示す斜視図である。
【図５】第２実施形態のオーバーヘッドシャワーユニットの配管等の縦断面である。
【発明を実施するための形態】
【００１９】
［第１実施形態］
以下、図面を用いて、本発明の第１実施形態について説明する。
【００２０】
図１に示されるように、本発明の第１実施形態に係るユニットバスシステムＵＢは、ユニットバス１１の浴室１１Ｒにオーバーヘッドシャワーユニット１０が取り付けられて構成されている。ユニットバス１１は、浴槽１１Ａ、洗い場防水パン１１Ｂ、壁１２等を備えている。
【００２１】
オーバーヘッドシャワーユニット１０は、シャワーバー２０を有している。シャワーバー２０は長尺の筒状とされ、筒軸が鉛直方向になるように浴室の壁１２に設置されている。シャワーバー２０の筒内には、後述するオーバーヘッドシャワー部２２やミスト吐出部２４などへ温水を供給する配管が配設されている。シャワーバー２０は、上部取付連通部３０及び下部取付連通部３２で壁１２に取り付けられている。上部取付連通部３０及び下部取付連通部３２は、中空の筒状とされ、シャワーバー２０の筒内と連通されている。図２に示されるように、壁１２には、上部取付連通部３０及び下部取付連通部３２に対応する位置に各々貫通穴１２Ａ、１２Ｂが形成されており、シャワーバー２０の筒内と壁１２の外側（浴室１１Ｒの外部）が連通されている。
【００２２】
図２にも示されるように、シャワーバー２０の上部には、オーバーヘッドシャワー部２２が設けられている。オーバーヘッドシャワー部２２は、シャワーバー２０の前方に延出した枝管２２Ａと、枝管２２Ａの先端に取り付けられた円盤状のヘッド２２Ｂを有している。枝管２２Ａは管状とされ、シャワーバー２０の筒内と連通されている。ヘッド２２Ｂは、枝管２２Ａとの角度が調整可能とされている。図３に示されるように、ヘッド２２Ｂは、オーバーヘッド流路２３と接続されている。オーバーヘッド流路２３は、シャワーバー２０内に配設されており、後述する合流部３４と接続され、合流部３４からの混合水をヘッド２２Ｂへ供給する。ヘッド２２Ｂには、シャワー水を吐出する複数の吐出孔（不図示）が形成されており、ヘッド２２Ｂは、使用者の頭上から下向き、または、斜め下向きにシャワー水を吐水可能なように、高さ位置及び吐出方向が設定されている。
【００２３】
シャワーバー２０の中間部で、オーバーヘッドシャワー部２２よりも下側には、ハンドシャワー部２６が設けられている。ハンドシャワー部２６は、シャワーバー２０から延出するホース２６Ａと、ホース２６Ａの先端に設けられたグリップヘッド２６Ｂを有している。ホース２６Ａは、シャワーバー２０の中間部で上部切換弁３６を介してオーバーヘッド流路２３と接続されている（以下、上部切換弁３６よりも上流側のオーバーヘッド流路２３を「下オーバーヘッド流路２３Ｂ」と称し、下流側のオーバーヘッド流路２３を「上オーバーヘッド流路２３Ａ」と称する）。グリップヘッド２６Ｂにはシャワー水を吐出する複数の吐出孔（不図示）が形成されており、ホース２６Ａから供給される混合水をシャワー吐出する。グリップヘッド２６Ｂは、シャワーバー２０に設けられた保持部２５に着脱可能に保持されている。
【００２４】
シャワーバー２０の下部には、カラン部２７が設けられている。カラン部２７は、台座２７Ａ及び水栓２７Ｂを備えている。台座２７Ａは、壁１２から手前に水平方向に突出され、上面が平坦状とされている。水栓２７Ｂは、後述する合流部３４と接続され、合流部３４からの混合水を下向きに吐出する。
【００２５】
図３に示されるように、シャワーバー２０の下部には、合流部３４が設けられている。合流部３４には、給水枝管Ｐ１及び給湯管Ｐ２が接続されている。給水枝管Ｐ１及び給湯管Ｐ２は、下部取付連通部３２を経て壁１２の外側から浴室１１Ｒ内のシャワーバー２０内に配管されている。
【００２６】
給湯管Ｐ２は、メイン加熱装置４０に接続されており、メイン加熱装置４０で加熱された温水を合流部３４へ供給する。給水枝管Ｐ１は、給水管Ｐから分岐され、メイン加熱装置４０を経ない常温水を合流部３４へ供給する。合流部３４において、加熱された温水と常温水とが合流し、混合水とされる。合流部３４の下部には、湯温調整操作部３５が取り付けられている。ユーザーは、湯温調整操作部３５を操作することにより、合流部３４への温水と常温水の供給が制御され、混合水の湯温が調整される。
【００２７】
メイン加熱装置４０は、比較的量の多い温水の供給が想定されている装置であり、業務用の施設であれば、温水を供給するためのボイラー等であり、家庭用であれば、浴室やキッチン等に温水を供給する給湯器等である。
【００２８】
シャワーバー２０の合流部３４には、下部切換弁３８が設けられている。下部切換弁３８は、合流部３４からの混合水の流出を止める停止位置Ｄ０と、合流部３４から下オーバーヘッド流路２３Ｂへ混合水を流出させるシャワー位置Ｄ１と、合流部３４から水栓２７Ｂへ混合水を流出させる水栓位置Ｄ２との間で切換える。シャワーバー２０の中間部には、上部切換弁３６が設けられている。上部切換弁３６は、水流を、上オーバーヘッド流路２３Ａへ供給するオーバーヘッド位置Ｄ３と、ハンドシャワー部２６のホース２６Ａへ供給するハンド部位置Ｄ４との間で切換える。
【００２９】
シャワーバー２０の中間部で、上部切換弁３６と合流部３４の間には、ミスト吐出部２４が設けられている。ミスト吐出部２４は、シャワーバー２０の長手方向に３個離間して設置されている。ミスト吐出部２４は、ミスト流路２８と接続されている。ミスト流路２８は、壁１２の外側から上部取付連通部３０を経て浴室１１Ｒのシャワーバー２０内に配管されている。ミスト流路２８は、後述する補助加熱具４２と接続され、補助加熱具４２からの温水をミスト吐出部２４へ供給する。ミスト吐出部２４は、シャワーバー２０から前方に突出配置され、ミスト（霧状水）を噴霧する。壁１２には、ミスト吐出部２４に近い位置に、ミスト用スイッチ４４が設けられている。ユーザーは、ミスト用スイッチ４４により、ミスト吐出部２４からのミストの噴霧のオン／オフ指示を、入力することができる。
【００３０】
ミスト流路２８には、電磁弁２９が設けられている。電磁弁２９は、ミスト用スイッチ４４と接続されている。電磁弁２９の開閉は、ミスト用スイッチ４４へのユーザー入力に連動して行われる。
【００３１】
補助加熱具４２は、浴室１１Ｒの外部に設置されている。補助加熱具４２は、比較的少量の水の加熱が想定された装置であり、毎分０．２リットル〜２リットル程度の加熱水の供給が行われるものである。補助加熱具４２には、給水管Ｐから分岐した給水枝管ＰＨを経て常温水が供給されている。補助加熱具４２のオン／オフについても、ミスト用スイッチ４４へのユーザー入力に連動して行われる。補助加熱具４２としては、暖房用の温水を用いて熱交換により常温水を加熱する熱交換器や、電気式のヒーター等を用いることができる。また、ガスにより発電を行う設備を有する場合には、発電の際の発熱を利用して加熱してもよいし、温水の貯留タンクを有する場合には、当該貯留タンク内の温水を用いて加熱してもよい。
【００３２】
次に、本実施形態の作用及び効果を説明する。
【００３３】
オーバーヘッドシャワー部２２のヘッド２２Ｂから温水をシャワー吐出する際には、まず、所望の湯温になるように湯温調整操作部３５を操作する。そして、下部切換弁３８をシャワー位置Ｄ１へ配置し、上部切換弁３６をオーバーヘッド位置Ｄ３へ配置させる。これにより、合流部３４において所望の温度に調整された混合水がオーバーヘッドシャワー部２２へ供給され、ヘッド２２Ｂからシャワー吐出される。
【００３４】
ヘッド２２Ｂからの温水のシャワー吐出と同時に、ミストを利用する場合には、ミスト用スイッチ４４をオンにし、補助加熱具４２を起動させると共に、電磁弁２９を開放する。これにより、補助加熱具４２で加熱されたミスト用の温水が、ミスト吐出部２４から噴霧される。
【００３５】
ミストの利用のみを行う場合には、下部切換弁３８を停止位置Ｄ０へ配置した状態で、ミスト用スイッチ４４をオンにする。これにより、補助加熱具４２で加熱されたミスト用の温水をミスト吐出部２４から噴霧し、浴室１１Ｒ内をミストで満たすことができる。
【００３６】
本実施形態のオーバーヘッドシャワーユニット１０によれば、ミスト吐出部２４がシャワーバー２０に設けられているので、ミスト用に単体の装置を設置する場合と比較して、簡易にミスト吐出部を設置することができる。
【００３７】
また、本実施形態では、ミスト吐出部２４へ補助加熱具４２で加熱された温水が供給され、オーバーヘッドシャワー部２２へメイン加熱装置４０で加熱された温水が供給される。したがって、ミスト吐出部２４からミストを噴霧することによるオーバーヘッドシャワー部２２からの湯量への影響が少なく、オーバーヘッドシャワー部２２からのシャワーとミスト吐出部２４からのミストを同時に快適に使用することができる。
【００３８】
また、本実施形態では、補助加熱具４２を用いることにより、適切な量の水を加熱して浴室１１Ｒへミスト噴霧を行うことができる。
【００３９】
また、本実施形態では、シャワーバー２０を壁１２に取り付けるための上部取付連通部３０を用いてミスト流路２８を配管しているので、配管の露出が抑制され、見栄えをよくすることができる。
【００４０】
なお、本実施形態では、ユニットバス１１にオーバーヘッドシャワーユニット１０を設置する例について説明したが、オーバーヘッドシャワーユニット１０は、ユニットバス以外の浴室に設置してもよい。また、オーバーヘッドシャワーユニット１０は、その他のシャワーが設置される施設に設置してもよい。
【００４１】
また、本実施形態のオーバーヘッドシャワーユニット１０は、図４に示されるように、シャワーブース５０に設置することもできる。シャワーブース５０は、腰掛け部５２、壁５４、床５６等を有するユニットである。シャワーブース５０にオーバーヘッドシャワーユニット１０を設置することにより、シャワーブース５０の室内５０Ｒをミストで満たすことにより、ミストサウナを楽しむことができる。
【００４２】
［第２実施形態］
以下、図面を用いて、本発明の第２実施形態について説明する。なお、本実施形態において、第１実施形態と同様の部分には同一の符号を付し、その詳細な説明を省略する。
【００４３】
本実施形態のオーバーヘッドシャワーユニット６０は、図５に示すように、補助加熱具４２の設置位置が第１実施形態と異なっている。補助加熱具４２は、台座２７Ａの上に配置されている。補助加熱具４２には、合流部３４の手前の給水管Ｐから分岐Ｂ１で分岐した常温水が給水枝管ＰＨを経て供給されている。ミスト流路２８は、シャワーバー２０の下部からシャワーバー２０内に引き込まれ、ミスト吐出部２４と接続されて補助加熱具４２からの温水をミスト吐出部２４へ供給する。補助加熱具４２及び電磁弁２９は、ミスト用スイッチ４４と接続されている。
【００４４】
次に、本実施形態の作用及び効果を説明する。
【００４５】
オーバーヘッドシャワー部２２のヘッド２２Ｂからの温水シャワー吐出、及び、ミストの利用は、第１実施形態と同様にして行うことができる。
【００４６】
本実施形態のオーバーヘッドシャワーユニット６０によっても、ミスト用に単体の装置を設置する場合と比較して、簡易にミスト吐出部を設置することができる。また、ミスト吐出部２４から噴霧されるミストによるオーバーヘッドシャワー部２２からの湯量への影響が少なく、オーバーヘッドシャワー部２２からのシャワーとミスト吐出部２４からのミストを同時に快適に使用することができる。
【００４７】
また、本実施形態では、台座２７Ａの上に補助加熱具４２が配置されているので、補助加熱具４２からミスト吐出部２４までの配管長を短くすることができる。
【００４８】
なお、本実施形態のオーバーヘッドシャワーユニット６０も、ユニットバス１１、ユニットバス以外の浴室やその他のシャワー施設、及び、シャワーブース５０に設置することもできる。
【００４９】
また、前述の第１、第２実施形態では、カラン部２７やハンドシャワー部２６を有するオーバーヘッドシャワーユニットについて説明したが、カラン部２７やハンドシャワー部２６のない構成にすることもできる。
【００５０】
以上、本発明の実施形態について説明したが、本発明は、上記に限定されるものでなく、上記以外にも、その主旨を逸脱しない範囲内において種々変形して実施可能であることは勿論である。
【符号の説明】
【００５１】
１０   オーバーヘッドシャワーユニット
１１   ユニットバス
１２   壁
２０   シャワーバー
２２   オーバーヘッドシャワー部
２３   オーバーヘッド流路
２４   ミスト吐出部
２８   ミスト流路
６０   オーバーヘッドシャワーユニット
３０   上部取付連通部（壁面取付部）
４０   メイン加熱装置
４２   補助加熱具
５０   シャワーブース
Ｐ１   給水枝管（給水路）
【図１】
2015216967.tif 000003
【図２】
2015216967.tif 000004
【図３】
2015216967.tif 000005
【図４】
2015216967.tif 000006
【図５】
2015216967.tif 000007